(57)【特許請求の範囲】
【請求項１】
光ファイバケーブルの抗張力線（Ａ）を配置して固定可能な固定用溝（３）がブロック状の固定具（１）に形成された抗張力線固定装置において、
前記固定具（１）は外周面の一部に平面状の機器取付面（２０）を備え、その機器取付面（２０）と反対側に平面状の溝開口面（２）を備え、その溝開口面（２）とその溝開口面（２）に連続する固定具（１）の外側面との角部に前記溝開口面（２）から外側面に下り傾斜の斜面（５）を備え、
前記固定用溝（３）は光ファイバケーブルの抗張力線（Ａ）の配線方向に固定具（１）を横断して前記溝開口面（２）から固定具（１）内の途中まで形成され、その固定用溝（３）の抗張力線出し入れ口（４）が前記溝開口面（２）に開口され、当該抗張力線出し入れ口（４）の開口縁は外広がりのテーパー状であり、
抗張力線固定用のネジ孔（７）が前記斜面（５）から前記固定用溝（３）の底面（６）に向けて斜めに形成され、そのネジ孔（７）のネジ込み口が前記斜面（５）に開口され、
前記ネジ孔（７）はネジ孔（７）の軸方向に固定用溝（３）の底面（６）よりも深く形成され、
前記ネジ孔（７）の直径は前記抗張力線（Ａ）の直径よりも大きく、
前記固定具（１）の機器取付面（２０）には、固定具（１）を機器へ取付けるための固定用ネジ孔（９）が２本形成され、
それら固定用ネジ孔（９）は、前記固定用溝（３）を挟んでその両側に、その固定用溝（３）と平行又は略平行に形成され、
前記ネジ込み口から前記ネジ孔（７）に止めネジ（８）をねじ込むことにより、前記固定用溝（３）内の抗張力線（Ａ）が固定用溝（３）内に固定されるようにしたことを特徴とする抗張力線固定装置。
【発明の詳細な説明】
【技術分野】
【０００１】
本発明は、光ファイバケーブルの抗張力線、電力ケーブルの抗張力線、それらケーブルとは別体の抗張力線、といった各種抗張力線の固定装置に関するものである。
【背景技術】
【０００２】
光ファイバケーブルや電力ケーブルには抗張力性を得る為に基本的には抗張力線（テンションメンバー）が内蔵されている。抗張力線はそれらケーブルとは別になっている場合もある。これら抗張力線は光ファイバシステムの機器や、電力伝送路上の機器に取付ける際に、図３（ａ）〜（ｃ）及び図４（ａ）〜（ｃ）の様な固定具を使用していた。
【０００３】
図３（ａ）〜（ｃ）の固定具の場合は、抗張力線Ａを固定具Ｂに挿入するために固定具Ｂの側面に貫通された貫通孔Ｃに挿入し、固定具Ｂの上面から縦に設けられたネジ孔Ｄに止めネジＥをねじ込むことにより、止めネジＥの先端で抗張力線Ａを押して抗張力線Ａを貫通孔Ｃ内に固定するものである。
【０００４】
図４（ａ）〜（ｃ）の固定具の場合は、抗張力線Ａを固定具Ｂの固定用溝Ｆに固定具Ｂの上面の開放部Ｇより押し込み、その固定用溝Ｆの深さ方向に設けたネジ孔Ｈに止めネジＫをねじ込むことにより、止めネジＫの先端で抗張力線Ａを押して抗張力線Ａを固定用溝Ｆ内に固定するものである。
【発明の開示】
【発明が解決しようとする課題】
【０００５】
図３（ａ）〜（ｃ）の固定具の場合、貫通孔Ｃの穴径が抗張力線Ａの直径よりも大き過ぎると、貫通孔Ｃに挿入された抗張力線Ａががたつくとか止めネジＥでの固定が不安定になるため、抗張力線Ａの直径に合った直径の貫通孔Ｃを用意しなければならない。また、抗張力線Ａをその一端から貫通孔Ｃに挿入しなければならないため差込み作業が面倒であり、非効率的であった。
【０００６】
図４（ａ）〜（ｃ）の固定具の場合、抗張力線Ａを固定具Ｂの固定用溝Ｆに開放部Ｇより押し込むことができるため、固定用溝Ｆの幅と抗張力線Ａの直径との関係に図３（ａ）〜（ｃ）の固定具のように厳密な精度は要求されず、抗張力線Ａを固定用溝Ｆ内に容易に固定することができる。しかし、抗張力線Ａを固定用溝Ｆ内に開放部Ｇより押し込むためには、一旦、止めネジ孔Ｋから止めねじＨを取り外さなければならず、その取り外しが面倒であり、場合によっては、取り外す際に止めネジＫが落下して紛失するおそれもあった。
【課題を解決するための手段】
【０００７】
本件出願の抗張力線固定装置は、光ファイバケーブルの抗張力線Ａを配置して固定可能な固定用溝３がブロック状の固定具１に形成された抗張力線固定装置において、前記固定具１は外周面の一部に平面状の機器取付面２０を備え、その機器取付面２０と反対側に平面状の溝開口面２を備え、その溝開口面２とその溝開口面２に連続する固定具１の外側面との角部に前記溝開口面２から外側面に下り傾斜の斜面５を備え、前記固定用溝３は光ファイバケーブルの抗張力線Ａの配線方向に固定具１を横断して前記溝開口面２から固定具１内の途中まで形成され、その固定用溝３の抗張力線出し入れ口４が前記溝開口面２に開口され、当該抗張力線出し入れ口４の開口縁は外広がりのテーパー状であり、抗張力線固定用のネジ孔７が前記斜面５から前記固定用溝３の底面６に向けて斜めに形成され、そのネジ孔７のネジ込み口が前記斜面５に開口され、前記ネジ孔７はネジ孔７の軸方向に固定用溝３の底面６よりも深く形成され、前記ネジ孔７の直径は前記抗張力線Ａの直径よりも大きく、前記固定具１の機器取付面２０には、固定具１を機器へ取付けるための固定用ネジ孔９が２本形成され、それら固定用ネジ孔９は、前記固定用溝３を挟んでその両側に、その固定用溝３と平行又は略平行に形成され、前記ネジ込み口から前記ネジ孔７に止めネジ８をねじ込むことにより、前記固定用溝３内の抗張力線Ａが固定用溝３内に固定されるようにしたものである。
【発明の効果】
【０００８】
本件出願の抗張力線固定装置は次のような効果がある。
（１）止めネジをネジ孔から取り外さなくとも、止めネジをその先端が固定用溝から外れる程度に緩めるだけで、抗張力線を開放部から固定用溝内に押し込むことができ、止めネジを僅か締付けるだけ抗張力線を固定用溝内に固定できるため、固定用溝内への抗張力線の差込作業、固定作業が容易になり、作業性が著しく向上する。また、止めネジの落下による紛失のおそれもない。
（２）固定用溝と抗張力線の寸法に厳しい精度が要求されないため、抗張力線の直径よりも多少広めの幅の固定用溝を用意しておけば、抗張力線の直径が多少変わっても抗張力線を固定用溝内に確実に固定することができる。
（３）ネジ孔を固定具の外周面から固定用溝の底面に向けて斜めに形成したので、止めネジを僅かに緩めるだけで止めネジの先端部が固定用溝から外れ、逆に、緩めた分だけ締付けるだけで抗張力線を固定用溝内に固定することができるため、締付け作業も容易である。
【発明を実施するための最良の形態】
【０００９】
（実施形態１）
本発明の抗張力線固定装置の実施例を図１（ａ）〜（ｃ）に基づいて説明する。この実施形態は、固定具１を光ファイバ伝送路上、光ファイバケーブルを取付ける機器、成端箱等に取付ける場合である。固定具１は端面が円形のブロックであり、その端面２から内部途中まで端面２を横切る固定用溝３が形成され、固定用溝３は抗張力線を押し込み可能な幅であり、その開放部４が端面２に開口している。その固定具１は端面２の一部に斜面５が形成され、その斜面５から前記固定用溝３の底面６に向けて斜めのネジ孔７が開口されている。このネジ孔７には止めネジ８をねじ込み可能であり、止めネジ８はネジ孔７にねじ込むことにより固定用溝３内に押し込まれた抗張力線Ａを固定用溝３内に固定できるようにしてある。ブロックは金属製とか硬質樹脂製等とすることができる。
【００１０】
ネジ孔７の向き、傾斜角度、直径、深さ等は任意に選択することができるが、図１（ｃ）に示すように、抗張力線Ａの直径よりも大きな直径にすると抗張力線Ａを確実に押すことができ、固定用溝３の底面６よりも少し深く形成することにより、抗張力線Ａを確実に固定用溝３の底面６に押し付けることができる。
【００１１】
固定具１のサイズ、形状等も取付け場所や抗張力線Ａの直径等に合わせて選択することができる。また、固定具１の底面２０には図２（ｂ）のようにネジ孔９を開口しておき、底面を筺体内のパネルとか基板（パネル等）１０に宛がい、パネル等１０の外から図２（ａ）（ｂ）のように前記ネジ孔９にビス等の止め具１１をねじ込んで、パネル等１０に固定することができる。固定具１の底面２０にはパネル等１０にねじ込み可能なネジ突起や、差込可能な差込突起、或はパネル等１０の縁にかぶせることもできる溝等の他の形状、構造の取り付け部を形成しておくこともできる。
【図面の簡単な説明】
【００１２】
【図１】本発明の抗張力線固定装置の実施形態の一例を示すものであり、（ａ）は平面図、（ｂ）は正面図、（ｃ）は断面図である。
【図２】本発明における固定具をパネル等に取り付けた状態を示すものであり、（ａ）は正面図、（ｂ）は断面図である。
【図３】従来の抗張力線固定装置の実施形態を示すものであり、（ａ）は平面図、（ｂ）は断面図、（ｃ）は側面図である。
【図４】従来の抗張力線固定装置の他の実施形態を示すものであり、（ａ）は平面図、（ｂ）は側面図、（ｃ）は断面図である。
【符号の説明】
【００１３】
１  固定具
２  端面
３  固定用溝
４  開放部
５  斜面
６  底面
７  ネジ孔
８  止めネジ
９  ネジ孔
１０  パネル等
１１  止め具
【図１】
0004732855.tif 000002
【図２】
0004732855.tif 000003
【図３】
0004732855.tif 000004
【図４】
0004732855.tif 000005